(57)【要約】【課題】所定サイズの画像データを出力部から伝送路を介して表示部に出力して、その画像データが示す画像を表示する表示装置において、限られた伝送路容量の中で高解像度の表示パネルを最大限に生かした表示を行う。【解決手段】伝送路は、所定サイズの画像データと等倍の画像データを所定フレームレートで伝送可能な伝送路容量をもつものとする。この表示装置の出力部（デコードブロック１で例示）は、表示部の画素数と同じサイズの表示対象画像データを構成するための、上記所定サイズをもつ異なる複数の画像データを生成し、これら複数の画像データのそれぞれに対して伝送フレームレートを決定して、表示対象画像データを時分割で表示部に出力する。【選択図】図３
2013218002.tif 000002
【特許請求の範囲】
【請求項１】
所定サイズの画像データを伝送路に出力する出力部と、該出力部に該伝送路を介して接続され、前記画像データが示す画像を表示する表示部と、を備えた表示装置であって、
前記伝送路は、前記所定サイズの画像データと等倍の画像データを所定フレームレートで伝送可能な伝送路容量をもち、
前記出力部は、前記表示部の画素数と同じサイズの表示対象画像データを構成するための、前記所定サイズをもつ異なる複数の画像データを生成し、生成した前記複数の画像データのそれぞれに対して伝送フレームレートを決定して、前記表示対象画像データを時分割で前記表示部に出力することを特徴とする表示装置。
【請求項２】
前記出力部は、生成した前記複数の画像データのうち少なくとも１つが静止画のデータである場合、前記複数の画像データのそれぞれに対して伝送フレームレートを決定して、前記表示対象画像データを時分割で前記表示部に出力することを特徴とする請求項１に記載の表示装置。
【請求項３】
前記出力部は、生成した前記複数の画像データのうち少なくとも１つが他の画像データと前記出力部への入力時に指定された表示フレームレートが異なる画像データである場合、前記複数の画像データのそれぞれに対して伝送フレームレートを決定して、前記表示対象画像データを時分割で前記表示部に出力することを特徴とする請求項１に記載の表示装置。
【請求項４】
前記出力部は、前記画像データ毎に、優先的に出力する度合を示す優先度を決定する優先度決定部と、前記画像データ毎に、前記優先度決定部で決定された優先度に応じて前記伝送フレームレートを決定し、決定した前記伝送フレームレートに従い、出力対象の前記画像データの読み出し元を選択する出力データ選択部と、を有することを特徴とする請求項１〜３のいずれか１項に記載の表示装置。
【請求項５】
前記優先度決定部は、前記画像データが動画像のデータであるか静止画のデータであるかに基づき、及び／又は、前記画像データが現在、ユーザ操作画面になっているか否かに基づき、前記優先度を決定することを特徴とする請求項４に記載の表示装置。
【請求項６】
前記出力部は、前記表示部に対して、前記画像データ毎に、前記表示部における表示場所及び前記伝送フレームレートを示す情報を伝送することを特徴とする請求項１〜５のいずれか１項に記載の表示装置。
【請求項７】
前記出力部は、前記画像データが動画像のデータである場合には、前記伝送フレームレートを予め定められた複数の値の中から選択して決定することを特徴とする請求項１〜６のいずれか１項に記載の表示装置。
【発明の詳細な説明】
【技術分野】
【０００１】
本発明は、表示装置に関し、より詳細には、高解像度での表示が可能な表示装置に関する。
【背景技術】
【０００２】
現在、テレビ装置やモニタ装置等の表示装置としては、２Ｋ１Ｋ（１９２０×１０８０画素）の解像度をもつ所謂Ｆｕｌｌ ＨＤ（High Definition）対応の表示パネルを備えた装置が主流となっている。一方で、より高精細な表示パネルの需要も高まっており、４Ｋ２Ｋサイズの映像や、Ｆｕｌｌ ＨＤの１６倍の画素数（７６８０×４３２０画素）をもつスーパーハイビジョン映像（８Ｋ４Ｋサイズの映像）、さらに４倍の画素数をもつ１６Ｋ８Ｋサイズの映像を表示するための表示パネル、並びにそのような表示パネルを備えた表示装置の開発も盛んになってきている。ここで、４Ｋ２Ｋとは、Ｆｕｌｌ ＨＤの４倍の画素数（３８４０×２１６０画素）を持つＱＦＨＤ（Quad Full High Definition）や、デジタルシネマの標準規格で定められている４Ｋ（４０９６×２１６０画素）などを指す。
【０００３】
一方で、チューナ、レコーダ、プレーヤなどの外部の映像再生機器から出力される映像信号や、表示装置内部で放送信号を受信して復号した映像信号は、主に２Ｋ１Ｋサイズの映像である。また、外部からの映像信号の受信や放送波からの映像信号の受信を行う受信装置として、４Ｋ２Ｋサイズ等のために専用のＬＳＩ（Large Scale Integrated Circuit）を製造することは、多大な投資を必要とする。このような現状では、受信装置としては、２Ｋ１Ｋサイズの映像データを処理するＬＳＩを用いざるを得ない。
【０００４】
そのため、受信装置で受信した映像信号を、上述のような２Ｋ１Ｋを超える解像度の表示パネルで全画面表示させる際には、受信装置で受信した映像信号が示す映像データをスケーリングにより高解像度化して、表示パネルで表示することになる。
【０００５】
図１を参照し、このような従来の表示装置について簡単に説明する。図１に示す表示装置は、デコードブロック１００と表示ブロック１１０とが伝送路で接続されており、表示ブロック１１０には４Ｋ２Ｋサイズの画素数をもつ液晶パネル部１１５が設けられている。デコードブロック１００は、放送波から映像信号を受信するチューナ部１０１と、チューナ部１０１で受信した映像信号をデコードするデコード部１０２と、それらを制御するＣＰＵ（Central Processing Unit）１０３とを備える。デコード部１０２は、伝送路を介して、１９２０×１０８０画素の映像や電子番組表のデータを表示ブロック１１０側に伝送する。
【０００６】
表示ブロック１１０は、このデータを受信してフレームレート変換を施すフレームレート変換部１１１と、フレームレート変換後のデータを３９８０×２１６０画素のデータにスケーリングするスケーリング部１１２と、スケーリング後のデータに対して画質調整を施す画質調整部１１３と、画質調整後のデータを液晶パネル部１１５で表示させる制御を行うパネルコントロール部１１４とを備える。ＣＰＵ１０３は、表示ブロック１１０の各部１１１〜１１５の制御も行う。そのため、実際には伝送路により、映像や電子番組表のデータの他に制御のための信号が伝送される。無論、これらの伝送路は多重化せずに分けてもよい。
【０００７】
また、表示パネルには、ＯＳＤ（On Screen Display）画像データや写真データやＰＣ出力画像データなどのグラフィックデータを、映像データに重畳させて表示させることがある。重畳元の映像データは存在しなくてもよく、グラフィックデータのみを表示させることもできる。グラフィックデータ自体は、時系列で見ると非連続なデータが多いことからスケーリングには向かないため、４Ｋ２Ｋサイズ等の高解像度の表示パネルに表示させる場合には、まず高解像度化されてから、スケーリング後の映像データに重畳され、ドット・バイ・ドットで表示される。このような高解像度のグラフィックデータの作成は、ＣＰＵ（Central Processing Unit）の高速化が進む近年では十分に対応可能である。
【０００８】
マルチウィンドウ（マルチ画面）表示に関し、特許文献１には、複数チャンネルの画像を同時に１画面に表示するためのマルチ画面の信号を、表示部側に出力する受信機が開示されている。この受信機では、時分割多重の複数チャンネルを受信し、受信した信号の中から複数チャンネルを同時にデコードして、マルチ画面の信号として出力している。
【０００９】
また、特許文献２には、ＰＣ（パーソナルコンピュータ）で生成されたマルチウィンドウの画像を表示装置で表示するシステムが開示されている。このシステムでは、どのウインドウを前面に配置するかを示す優先順位に従って、複数のウインドウを同時に表示させており、これにより、各ウィンドウの重なり合いの順番のみの管理で、ウィンドウのサイズや位置の変更する際に他のウィンドウに与える影響を考慮しなくてよいといった効果を奏する。
【００１０】
また、解像度の高い表示パネルとパネル解像度より低い受信装置とを用いて映像合成する技術として、伝送量の低減については特許文献３が開示されており、時分割での伝送方法については特許文献４が開示されている。
【００１１】
特許文献３には、所定の描画命令に基づき画像データを送信するＰＣと、ＰＣから受信した画像データをパネル上に表示する受信側モニタと、を含む画像表示システムにおいて、画像データの伝送量を減らす技術が開示されている。ここで、ＰＣは、内部のフレームメモリ上にパネル解像度分のデータを描画するように構成されると共に、描画命令によって画面上に変化が発生した領域（変化領域）を検出して送信すべき送信領域を決定し、その送信領域を示す制御情報をヘッダに付加した状態で、送信領域の画像データを受信側モニタに送信する。受信側モニタは、受信した制御情報に基づき、受信した送信領域の画像データを、内部のフレームメモリに展開して画像データの更新を行い、パネル上に表示する。すなわち、このシステムでは、ＰＣが検出した変化領域のデータを受信側モニタに送信し、受信側モニタのフレームメモリにコピーするように構成されている。
【００１２】
特許文献４に記載の放送受信機は、動画像を示す映像信号の受信、静止画の生成、並びにそれらの出力を行う受信装置と、受信装置から出力された動画像又は静止画を、出力解像度を超える解像度で表示する表示装置とを備えている。ここで、受信装置は、外部から受信した映像信号を第１の解像度に変換した動画を出力する映像処理手段と、外部からの指示に応じて第１の解像度より高い第２の解像度の静止画を出力する描画処理手段と、第２の解像度の静止画を第１の解像度に分割した分割静止画を生成し、生成した分割静止画と第１の解像度の動画とをフレーム毎に（つまり時分割で）出力する多重処理手段と、を備えている。また、表示装置は、第２の解像度の動画及び静止画を表示する表示手段と、第１の解像度の動画を伸張するスケーリング処理手段と、分割静止画を、第２の解像度の静止画に復元する構成処理手段と、伸張された第１の解像度の動画と復元された第２の解像度の静止画とを表示手段に表示させるブレンド処理手段と、を備えている。そして、動画と静止画の区別は、受信装置が表示装置に識別信号を伝送し、表示装置側がその識別信号を判定することにより可能にしている。
【００１３】
また、表示パネルの高解像度化を生かすために、伝送路を高解像度化に対応するように構成することもできる。図２に示す表示装置は、デコードブロック２００と表示ブロック２１０とが４本の伝送路で接続されており、表示ブロック２１０には４Ｋ２Ｋサイズの画素数をもつ液晶パネル部２１６が設けられている。デコードブロック２００は、放送波から映像信号を受信するチューナ部２０１と、チューナ部２０１で受信した映像信号をデコードするデコード部２０２と、それらを制御するＣＰＵ２０３とを備える。デコード部２０２は、１本の伝送路につき１９２０×１０８０画素の映像や電子番組表のデータを表示ブロック１１０側に伝送する。なお、伝送路は物理的に４本なくても１本の伝送路で１９２０×１０８０画素の映像や電子番組表のデータを４つ分、伝送するように構成してもよい。
【００１４】
表示ブロック２１０は、これらのデータを受信して液晶パネル部２１６の画面全体に対応する３９８０×２１６０画素の画像を作成する画像作成部２１１と、作成された画像にフレームレート変換を施すフレームレート変換部２１２と、フレームレート変換後のデータを必要に応じて任意の大きさのデータにスケーリングするスケーリング部２１３と、スケーリング後のデータに対して画質調整を施す画質調整部２１４と、画質調整後のデータを液晶パネル部２１６で表示させる制御を行うパネルコントロール部２１５とを備える。ＣＰＵ２０３は、表示ブロック２１０の各部２１１〜２１６の制御も行う。そのため、実際には伝送路により、映像や電子番組表のデータの他に制御のための信号が伝送される。無論、これらの伝送路は多重化せずに分けてもよい。
【先行技術文献】
【特許文献】
【００１５】
【特許文献１】特開平５−３２８３２１号公報
【特許文献２】特開平６−１４９５２７号公報
【特許文献３】特開２００２−２７８５２６号公報
【特許文献４】特開２０１０−１３０５４４号公報
【発明の概要】
【発明が解決しようとする課題】
【００１６】
しかしながら、図１のような構成の表示装置では、表示パネル側への伝送路容量が小さく、高解像度の表示パネルを生かした表示ができるとは言えず、また、番組表やデータ放送などのＯＳＤ画像データを後段のスケーリング部でスケールアップすることになり文字ボケなどが発生するため、高解像度の表示パネルを生かしたＯＳＤ画像の提供ができるとは言えない。
【００１７】
また、特許文献１，２に記載の技術では、表示パネル側への伝送路容量が限られた中で、どのウィンドウの画像データについても同じ伝送フレームレートで送信されている。よって、これらの技術では、全てのウィンドウで均一な精細度で表示されることになるため、高解像度の表示パネルを生かした表示ができるとは言えない。なお、特許文献２に記載のシステムにおける優先順位は、どのウィンドウを前面に配置するかを示すものであり、伝送フレームレートとは無関係なものである。
【００１８】
また、特許文献３に記載の技術は、ＰＣから受信側モニタへの伝送対象が静止画の場合のみを想定しており、伝送フレームレートの変更に対応したものではない。よって、この技術でも同様に、限られた伝送路容量においては高解像度の表示パネルを生かした表示ができるとは言えない。
【００１９】
また、特許文献４に記載の技術では、静止画のデータと動画像のデータとを時分割で切り換えながらデータ伝送を行っているが、その際、動画像については予め定められた伝送フレームレートで伝送し、動画像と同じ解像度に分割した分割静止画についても予め定められた伝送フレームレート（動画像と同じ伝送フレームレート）で伝送している。そのため、表示パネルの全てのウィンドウで均一な精細度で表示されることになるため、高解像度の表示パネルを十分に生かした表示ができるとは言えない。
【００２０】
一方で、図２のような構成の表示装置では、高解像度の表示パネルを生かすことができるものの、伝送路容量が大きくりコストが嵩む。
【００２１】
本発明は、上述のような実状に鑑みてなされたものであり、その目的は、所定サイズの画像データを出力部から伝送路を介して表示部に出力して、その画像データが示す画像を表示する表示装置において、限られた伝送路容量の中で高解像度の表示パネルを最大限に生かした表示を行うことにある。
【課題を解決するための手段】
【００２２】
上記課題を解決するために、本発明の第１の技術手段は、所定サイズの画像データを伝送路に出力する出力部と、該出力部に該伝送路を介して接続され、前記画像データが示す画像を表示する表示部と、を備えた表示装置であって、前記伝送路は、前記所定サイズの画像データと等倍の画像データを所定フレームレートで伝送可能な伝送路容量をもち、前記出力部は、前記表示部の画素数と同じサイズの表示対象画像データを構成するための、前記所定サイズをもつ異なる複数の画像データを生成し、生成した前記複数の画像データのそれぞれに対して伝送フレームレートを決定して、前記表示対象画像データを時分割で前記表示部に出力することを特徴としたものである。
【００２３】
本発明の第２の技術手段は、第１の技術手段において、前記出力部は、生成した前記複数の画像データのうち少なくとも１つが静止画のデータである場合、前記複数の画像データのそれぞれに対して伝送フレームレートを決定して、前記表示対象画像データを時分割で前記表示部に出力することを特徴としたものである。
【００２４】
本発明の第３の技術手段は、第１の技術手段において、前記出力部は、生成した前記複数の画像データのうち少なくとも１つが他の画像データと前記出力部への入力時に指定された表示フレームレートが異なる画像データである場合、前記複数の画像データのそれぞれに対して伝送フレームレートを決定して、前記表示対象画像データを時分割で前記表示部に出力することを特徴としたものである。
【００２５】
本発明の第４の技術手段は、第１〜第３のいずれか１の技術手段において、前記出力部は、前記画像データ毎に、優先的に出力する度合を示す優先度を決定する優先度決定部と、前記画像データ毎に、前記優先度決定部で決定された優先度に応じて前記伝送フレームレートを決定し、決定した前記伝送フレームレートに従い、出力対象の前記画像データの読み出し元を選択する出力データ選択部と、を有することを特徴としたものである。
【００２６】
本発明の第５の技術手段は、第４の技術手段において、前記優先度決定部は、前記画像データが動画像のデータであるか静止画のデータであるかに基づき、及び／又は、前記画像データが現在、ユーザ操作画面になっているか否かに基づき、前記優先度を決定することを特徴としたものである。
【００２７】
本発明の第６の技術手段は、第１〜第５のいずれか１の技術手段において、前記出力部は、前記表示部に対して、前記画像データ毎に、前記表示部における表示場所及び前記伝送フレームレートを示す情報を伝送することを特徴としたものである。
【００２８】
本発明の第７の技術手段は、第１〜第６のいずれか１の技術手段において、前記出力部は、前記画像データが動画像のデータである場合には、前記伝送フレームレートを予め定められた複数の値の中から選択して決定することを特徴としたものである。
【発明の効果】
【００２９】
本発明によれば、所定サイズの画像データを出力部から伝送路を介して表示部に出力して、その画像データが示す画像を表示する表示装置において、限られた伝送路容量の中で高解像度の表示パネルを最大限に生かした表示を行うことができる。
【図面の簡単な説明】
【００３０】
【図１】従来の表示装置の一構成例を示すブロック図である。
【図２】従来の表示装置の他の構成例を示すブロック図である。
【図３】本発明に係る表示装置におけるデコードブロックの一構成例を示すブロック図である。
【図４】図３のデコードブロックに接続された表示ブロックの一構成例を示すブロック図である。
【図５】図３のデコードブロックにおける主要部を説明するための図である。
【図６】図３のデコードブロックにおける処理の一例を説明するためのフロー図である。
【図７】図６に続くフロー図である。
【図８】図３のデコードブロックから送信されるフレームと、図４の表示ブロックでそのフレームを表示するための表示画面との関係の一例を説明するための図である。
【図９】図８のフレームの送信タイミングを説明するための図である。
【図１０】図３のデコードブロックから送信されるフレームと、図４の表示ブロックでそのフレームを表示するための表示画面との関係の他の例を説明するための図である。
【図１１】図３のデコードブロックから送信されるフレームと、図４の表示ブロックでそのフレームを表示するための表示画面との関係の他の例を説明するための図である。
【図１２】図３のデコードブロックから送信されるフレームと、図４の表示ブロックでそのフレームを表示するための表示画面との関係の他の例を説明するための図である。
【図１３】図３のデコードブロックから送信されるフレームと、図４の表示ブロックでそのフレームを表示するための表示画面との関係の他の例を説明するための図である。
【発明を実施するための形態】
【００３１】
本発明に係る表示装置は、所定サイズの画像データを伝送路に出力する出力部と、出力部に伝送路を介して接続され、上記画像データが示す画像を表示する表示部とを備えた装置であり、例えばテレビ装置、モニタ装置などが挙げられる。
【００３２】
図３は、本発明に係る表示装置におけるデコードブロックの一構成例を示すブロック図、図４は、図３のデコードブロックに接続された表示ブロックの一構成例を示すブロック図である。また、図５は、図３のデコードブロックにおける主要部を説明するための図である。
【００３３】
本発明に係る表示装置の一構成例は、図３で例示するデコードブロック１と図４で例示する表示ブロック２とが伝送路で接続されてなる。表示ブロック２には、高解像度の液晶パネル及びバックライトを備えた液晶パネル部２８が設けられている。液晶パネルとしては、４Ｋ２Ｋサイズの画素数をもつ液晶パネルを挙げて説明する。表示ブロック２における表示パネルとしては、液晶パネルに限らず、有機エレクトロルミネッセンスパネル、ＬＥＤ（Light Emitting Diode）パネル、プラズマディスプレイパネルなど、どのような表示方式のものであってもよく、無論、画素数も４Ｋ２Ｋサイズに限ったものではない。
【００３４】
デコードブロック１は例えば１又は複数のＬＳＩで構成することができ、表示ブロック２も例えば液晶パネル部２８（及びパネルコントロール部２７）以外を１又は複数のＬＳＩで構成することができる。
【００３５】
デコードブロック１は、放送波から映像信号を受信するチューナ部１１と、チューナ部１１で受信した映像信号をデコードするデコード部１２と、それらを制御するＣＰＵ１６とを備える。デコードブロック１は、上記出力部の一例であり、所定サイズの画像データをデコードにより生成し、伝送路に出力する。なお、上記出力部としては、デコードブロック１の代わりに例えば、映像信号を外部機器から受信するインターフェース部とＣＰＵとを備えた受信ブロックを採用することができる。
【００３６】
さらに、デコードブロック１は、後述する画像データメモリ部１３、送信データ選択部１４、及び優先度決定部１５を備える。送信データ選択部１４及び優先度決定部１５もＣＰＵ１６により制御されている。
【００３７】
表示ブロック２は、上記表示部の一例であり、デコードブロック１に伝送路を介して接続され、上記画像データが示す画像を表示する。この伝送路は、上記所定サイズの画像データと等倍の画像データを所定フレームレートで伝送可能な伝送路容量をもつ。伝送路容量は、転送可能なビットレート、つまり、単位時間当たりに伝送可能な情報量の上限を指し、帯域幅とも言う。
【００３８】
この例では、上記所定サイズを２Ｋ１Ｋ（１９２０×１０８０画素）とし、且つ上記所定フレームレートを６０Ｈｚとして、つまりこの伝送路では１９２０×１０８０画素のフレームを６０Ｐ（６０Ｈｚのプログレッシブ画像）で送信することが限度であるとして、説明する。換言すれば、この例におけるデコード部１２は、伝送路を介して、１９２０×１０８０画素の映像（動画像）や電子番組表等のＯＳＤ画像のデータを、最大６０Ｈｚで表示ブロック２側に伝送する能力をもつ。無論、これらの値はデコードブロック１及び伝送路の設計により、任意の固定値に決めることができる。
【００３９】
表示ブロック２は、画像展開部２１、フレームレート変換部２２、スケーリング部２３、画像データメモリ部２４、読み出し部２５、画質調整部２６、パネルコントロール部２７、及び液晶パネル部２８を備える。表示ブロック２における各部２１〜２８については後述するが、これらもＣＰＵ１６により制御される。そのため、実際には伝送路により、映像や静止画のデータの他に制御のための信号（制御信号）が伝送される。無論、これらの伝送路は多重化せずに分けてもよい。
【００４０】
次に、デコードブロック１の詳細について説明する。デコードブロック１は、表示ブロック２の画素数（ここでは液晶パネル部２８における液晶パネルで表示可能な画素数）と同じサイズの表示対象画像データを構成するために、上記所定サイズをもつ異なる複数の画像データを生成する。換言すれば、表示ブロック２は、上記所定サイズのｎ倍（ｎは１より大きい整数）で表示可能になっている。ｎは偶数に限らず奇数でもよく、例えばｎ＝３の場合、全画面を３分割したうちの３つの領域に表示させるようにしてもよい。但し、上記所定サイズをもつ異なる複数の画像データを、ｎ倍の画素数をもった液晶パネルに表示させることになるが、表示させる画像データの数はｎ以下であれば異なっていてもよい。例えば、全画面を４分割したうちの３つの領域にのみ画像データを表示させるようにしてもよい。
【００４１】
そして、デコードブロック１は、本発明の主たる特徴として、上記複数の画像データのそれぞれに対して伝送フレームレート（無論、上記所定フレームレート以内）を決定して、上記表示対象画像データを時分割で表示ブロック２に出力する。このように複数の画像データを生成して表示ブロック２側に時分割で伝送することにより、伝送路がデコードブロック１から出力する画像データのサイズ（所定サイズ）と等倍に対応するものであっても、表示ブロック２では、整数倍の解像度表示やそれにスケーリングを施した解像度での表示などを行うことができる。
【００４２】
ここで、デコードブロック１は、上記複数の画像データのうち少なくとも１つが静止画のデータである場合に、上述のような伝送フレームレートの決定及びそれに基づく時分割伝送を行うものとする。少なくとも静止画のデータを表示対象画像データの構成要素として含めることで、伝送フレームレートの画像データ毎の決定において、静止画同士で若しくは動画像と静止画で、伝送フレームレートを他の画像データに比べてある画像データで高めにすることによる画質向上の効果が得られる。
【００４３】
但し、動画像だけの場合にもこのような伝送フレームレートの決定及びそれに基づく時分割伝送を行ってもよい。動画像だけで画質向上の効果を得るには、少なくとも１つの画像データのスムーズ感の劣化を容認する必要がある。
【００４４】
静止画を含む場合の説明に先立ち、動画像だけの場合の例について簡単に説明する。デコードブロック１は、上記複数の画像データのうち少なくとも１つが他の画像データとデコードブロック１への入力時に指定された表示フレームレートが異なる画像データである場合に、上述のような伝送フレームレートの決定（つまり画像データ毎の伝送フレームレートの決定）及びそれに基づく時分割伝送を行えばよい。ここで、デコードブロック１への入力時に指定された表示フレームレートとは、入力側が指定してきた映像の表示フレームレートを指し、例えば、放送波として受信した通常の映像であれば６０ｆｐｓ（６０Ｈｚ）等の表示フレームレートとなり、デコードブロック１へレコーダ等から入力された映像については、そのレコーダが指定した表示フレームレートとなる。また、例えばデータ放送の場合は、例えばＡＲＩＢ  ＳＴＤ−Ｂ２４（５．１版）「デジタル放送におけるデータ放送符号化方式と伝送方式」などに記載の、スクロール速度やデータの更新頻度などの情報として、この表示フレームレートは指定される。いずれの場合にも、デコードブロック１は、入力時に指定された表示フレームレートの判定は可能である。このような表示フレームレートの判定に基づく伝送フレームレートの決定及びそれに基づく時分割伝送の処理は、上記複数の画像データの全てが動画像の場合に限らず、静止画同士で若しくは動画像と静止画の場合にも、表示フレームレートの判定が可能であるため、適用できる。
【００４５】
以上のように、デコードブロック１は、本発明の主たる特徴として、表示ブロック２の画素数と同じサイズの表示対象画像データを構成するために、上記所定サイズをもつ異なる複数の画像データを生成し、生成したこれらの画像データのそれぞれに対して伝送フレームレートを決定して、表示対象画像データを時分割で表示ブロック２に出力する。
【００４６】
以下、上記複数の画像データのうち少なくとも１つが静止画のデータである場合について説明するが、上述したようにこの場合に限らず、上記複数の画像データのうち少なくとも１つの画像データで伝送フレームレートが異なるように伝送フレームレートを決定し、それに基づく時分割伝送を行うことは可能である。そして、上記複数の画像データのうち少なくとも１つが静止画のデータである場合に限らず、少なくとも１つの画像データのスムーズ感の劣化（静止画の場合には表示更新頻度の低下）を容認するだけで、他の画像データの画質向上が図れる。
【００４７】
静止画のデータ（グラフィックデータ）としては、放送信号に含まれる番組情報及び／又は表示装置内部に予め格納された画像などから生成できるＯＳＤ画像データ、ＰＣからの出力画像のデータ、インターネット上のサーバ等から受信して得たブラウジング画像や写真画像のデータなどが挙げられる。そして、上記のＯＳＤ画像データとしては、上述したように電子番組表を示す画像データやデータ放送の画像データも該当する。
【００４８】
このような複数の画像データの生成及び伝送フレームレートの決定のために、図３の構成例では、画像データメモリ部１３、送信データ選択部１４、及び優先度決定部１５を備えている。
【００４９】
デコードブロック１では、図５（Ａ）で例示するように、内部メモリ１３ｂの上記所定サイズで区切られた格納領域（格納場所）のそれぞれに、上記所定サイズをもつ異なる画像データを格納し、画像データのそれぞれが対応する伝送フレームレートで出力するように選択的に読み出し元となる格納領域を決定する。内部メモリ１３ｂとしては、ＤＤＲ２  ＳＤＲＡＭ（Double-Data-Rate2 Synchronous Dynamic Random Access Memory）、ＤＤＲ３（Double-Data-Rate3）  ＳＤＲＡＭなど、フレームメモリとして機能する容量をもった大規模なメモリが挙げられる。
【００５０】
画像データの選択的な格納のために、画像データメモリ部１３にはデコード部１２からの出力を切り換えるスイッチ（ＳＷ）１３ａを備える。また、画像データを対応する伝送フレームレートで時分割で選択的に出力するために、画像データメモリ部１３には送信データ選択部１４からの指示により送信データ選択部１４への出力を切り換えるスイッチ（ＳＷ）１３ｃを備える。また、内部メモリ１３ｂの格納領域のそれぞれは、図５（Ａ）で示したように、表示ブロック２での全画面における表示場所（ここでは十字に４分割された場所Ａ，Ｂ，Ｃ，Ｄ）に対応するように割り当てられており、出力に際してはＣＰＵ１６から表示ブロック２側にこの表示場所を示す情報が渡される。なお、分割数は、表示ブロック２での画素数（表示解像度）と所定サイズとの比である。よって、以下では画面の分割数を４として説明するものの、分割数はこれに限ったものではない。
【００５１】
また、ここではデコードブロック１に画像データメモリ部１３を設けた構成例を挙げているが、これに限らず、デコード部を図５（Ｂ）に示す第１〜第４デコード部１２ａ〜１２ｄのように複数設け、画像データメモリ部１３を設けない構成も適用できる。なお、デコード部の数も上記分割数と同じ数となる。無論、この場合、第１〜第４デコード部１２ａ〜１２ｄのそれぞれにはデコードのためのフレームメモリが設けられている。そして、画像データを対応する伝送フレームレートで時分割で選択的に出力するために、第１〜第４デコード部１２ａ〜１２ｄと送信データ選択部１４との間には、送信データ選択部１４からの指示により送信データ選択部１４への出力を切り換えるスイッチ（ＳＷ）１３ｄを備える。
【００５２】
このように、図５（Ｂ）の構成例では、デコードブロック１は、上記所定サイズの容量をもつ複数の内部メモリ（各デコード部１２ａ〜１２ｄの内部メモリ）のそれぞれに、上記所定サイズをもつ異なる画像データを格納し、画像データのそれぞれが対応する伝送フレームレートで出力するように選択的に読み出し元となる内部メモリを決定する。
【００５３】
優先度決定部１５及び送信データ選択部１４について説明する。なお、優先度決定部１５は、上記複数の画像データのそれぞれに対して伝送フレームレートを決定するために設けられているが、予め内部メモリ１３ｂの格納領域（又はデコード部１２ａ〜１２ｄ）に応じて予め伝送フレームレートを決めておいてもよい。格納領域に書き込む（又はデコード部１２ａ〜１２ｄでデコードする）画像データを予め決めておけば、画像データのそれぞれに対する伝送フレームレートを予め決めることができる。
【００５４】
優先度決定部１５は、画像データ毎に、優先的に出力する度合を示す優先度を決定する。この優先度は、高フレームレートで出力を行う優先度合いを指し、上記複数の画像データのうち優先度が高い画像データの方が優先度の低い画像データよりも、高フレームレートで出力を行うことになる。高フレームレートでデコードブロック１から出力することは、表示ブロック２でより高精細度での表示ができることを意味するため、上記の優先度は優先的に精細表示を行う度合いを示すとも言える。
【００５５】
ここで、優先度決定部１５は、画像データが動画像のデータであるか静止画のデータであるかに基づき、優先度を決定するようにしてもよい。つまり、優先度決定の指標を動画像のデータであるか否かとしてもよい。
【００５６】
また、優先度決定部１５は、画像データが、現在、ユーザ操作画面（例えば、電子番組表のうちのユーザ操作画面やデータ放送画面のうちのユーザ操作画面）になっているか否かに基づき、優先度を決定するようにしてもよい。ユーザ操作画面か否かは、例えば、操作に応じて表示形態（濃淡等）を変えるカーソルがその場所に存在するかによって判定することができる。無論、優先度決定部１５は、画像データが動画像のデータであるか否かと、画像データが現在、ユーザ操作画面になっているか否かとの双方に基づき、優先度を決定するようにしてもよい。また、カーソル場所を優先度の決定に利用しない場合には、例えば最も左上側に位置する表示場所か否かを、優先度の決定に利用してもよい。また、優先度は、複数の画像データの優先順位として決定してもよい。
【００５７】
そして、送信データ選択部（出力データ選択部とも言う）１４は、画像データ毎に、優先度決定部１５で決定された優先度に応じて伝送フレームレートを決定し、決定した伝送フレームレートに従い、出力対象の画像データの読み出し元を選択する。この選択についてはスイッチ１３ｃやスイッチ１３ｄに関して説明したとおりである。このように、送信データ選択部１４は、優先度決定部１５からの優先度を指定した指示により、送信する画像データを選択して表示ブロック２側に送信（出力）を行う。
【００５８】
次に、このようにして時分割で送信された画像データを受信する表示ブロック２について、その詳細を説明する。画像展開部２１は、送信データ選択部１４から送信された１９２０×１０８０画素の映像や電子番組表等のＯＳＤ画像のデータを受信し、受信した画像データをフレームレート変換部２２と画像データメモリ部２４に展開する。デコードブロック１からは、伝送路を介して、例えばＴＭＤＳ（Transition Minimized Differential Signaling）などのフォーマットで表示ブロック２側に伝送され、画像展開部２１ではこれをピクセル単位で処理できる並列データなどに変換してから後段に出力する。
【００５９】
画像展開部２１は、全画面で動画像を表示させる場合、つまり１画面の映像表示の場合には、図４における経路Ａで示すように、その動画像データをフレームレート変換部２２に出力する。フレームレート変換部２２は、画像展開部２１から出力された動画像のデータに対してフレームレート変換を施し、スケーリング部２３に渡す。フレームレート変換方法には、単に同一フレームを複数回繰り返し読み出す方法や、フレーム間の直線内挿（線形補間）によるフレーム内挿を行う方法など、各種の方法がある。このフレームレート変換は、液晶パネルのようにホールド型の表示方式における動きぼけを改善することができる。
【００６０】
なお、本構成例では、Ｆｕｌｌ ＨＤのシステムを応用しており、フレームレート変換部２２もＦｕｌｌ ＨＤ１系統分の処理能力となっている。しかし、フレームレート変換部２２は、４Ｋ２Ｋの液晶パネル部２８と組み合わせているように、高精細な表示装置に簡単に流用することができる。但し、例えば、電子番組表に映像を２画面分、嵌め込みたい場合で、且つその映像に補間フレームを作成したい場合には、フレームレート変換部２２はＦｕｌｌ ＨＤ２系統分だけ必要になる。
【００６１】
スケーリング部２３は、フレームレート変換後の１９２０×１０８０（Ｆｕｌｌ ＨＤ）データを３９８０×２１６０画素のデータにスケーリングして、画質調整部２６に出力する。このように１画面の映像表示の場合には、動画像のデータは経路Ａを通り、フレームレート変換部２２で補間フレームを作成し、スケーリング部２３で表示サイズにスケーリングされ、画質調整部２６へと送られる。なお、１画面表示の際のフレームレート変換を、スケーリング部２３でのスケーリングの後に実行するような構成を採用することもできる。なお、電子番組表などの静止画の動きボケを気にしないのであれば、フレームレート変換を画質調整部２６での画質調整後に実行するような構成を採用することもできる。
【００６２】
また、このようなスケーリングを実行することから、デコードブロック１側の送信データ選択部１４は、フレームレート変換部２２が処理しやすいよう汎用規格のフレームレートである５０Ｐ、３０Ｐ、２４Ｐなどで送信することが好ましい。そのため、優先度決定部１５は、フレームレート変換部２２でのフレームレート変換を考慮し、動画像データの場合は６０Ｐ、５０Ｐ、３０Ｐ、２４Ｐの中から選択してフレームレートを決定することが好ましい。
【００６３】
このように、デコードブロック１は、画像データが動画像のデータである場合には、伝送フレームレートを予め定められた複数の値の中から選択して決定することが好ましい。また、このような選択決定は、表示装置が例えば映像処理に関する複数モード（例えば店頭モード、アニメーションモード、映画モード等）の中から切り換え可能である場合には、現在選択されているモードに応じて、伝送フレームレートを決定してもよい。例えば、映画モードの場合には２４Ｐを選択すればよい。
【００６４】
一方で、画像展開部２１は、静止画を少なくとも含む画像を表示させる場合には、図４の経路Ｃで示すようにその静止画データを画像データメモリ部２４に直接出力する。静止画は、内挿フレーム補間等による補間フレームの作成が必要なく、メモリ上の画像を表示すれば問題ないためである。静止画だけでなく動画像を含む場合には、画像展開部２１は、図４の経路Ｂで示すようにその動画像データをフレームレート変換部２２に出力してから画像データメモリ部２４に出力する。経路Ｂ，Ｃのいずれを通っても、電子番組表やデータ放送などの静止画に対してはスケーリングしないため、静止画についてはスケーリングによる文字ボケなどが発生しない。
【００６５】
画像データメモリ部２４は、画像展開部２１（及びフレームレート変換部２２）から出力された静止画データ（及び動画像データ）を一時的に格納するフレームメモリである。この画像データメモリ部２４としても画像データメモリ部１３と同様に、フレームメモリとして機能する大規模なメモリが適用できる。読み出し部２５は、その３９８０×２１６０画素のデータを、表示フレームレートに合わせて読み出し、画質調整部２６に送る。
【００６６】
画質調整部２６は、スケーリング部２３でスケーリング後の動画像データや読み出し部２５で読み出された静止画データ（及び動画像データ）に対して、最適な画質調整を施し、パネルコントロール部２７に送る。パネルコントロール部２７は、画質調整部２６で画質調整後の画像データを液晶パネル部２８で表示させる制御を行う。
【００６７】
次に、優先度決定部１５における具体的な処理例について、図６〜図１３を参照しながら説明する。
まず、図６及び図７の流れに沿って処理例を説明する。図６は、図３のデコードブロックにおける処理の一例を説明するためのフロー図で、図７は、図６に続くフロー図である。なお、以下の説明では、優先度を「高」、「中」、「低」の２段階で表す例を挙げるが、「高」、「低」の２段階であっても、４段階以上であってもよい。また、優先度の割り当て（どういった場合にどの優先度に決定するか）はここで説明する例に限ったものではない。
【００６８】
優先度決定部１５は、まず現在、表示装置の設定（ユーザ操作などにより決まる設定）が高精細モードか否かを判定し（ステップＳ１）、高精細モードでない場合（ＮＯの場合）には、時分割処理を行わずに、内部メモリ１３ｂの１つの格納場所に画像データを書き込み、送信データ選択部１４によりその格納場所を選択させて表示ブロック２側に出力する（ステップＳ１０）。この場合、画像データは、動画像であろうと電子番組表のような静止画であろうと、表示ブロック２において経路Ａを通り、フレームレート変換及びスケーリングが施されて、液晶パネル部２８で表示されることになる。
【００６９】
一方で、高精細モードである場合（ステップＳ１でＹＥＳの場合）、優先度決定部１５は、表示場所の構成又はカーソル場所（どの表示場所にカーソルがあるか）に変化があったか否かを、ＣＰＵ１６で受け取った図示しない操作部からの操作信号に基づいて検出する（ステップＳ２）。そして、変化があるまで処理を待ち、ステップＳ２でＹＥＳとなった段階で、表示場所Ａ，Ｂ，Ｃ，Ｄ（正確には表示場所に対応する内部メモリ１３ｂ又はデコード部１２ａ〜１２ｄにおける格納場所）を順番に判定する（ステップＳ３）。なお、ステップＳ３は、全ての表示場所の中から順番に処理対象を選択しながら、図６のステップＳ４〜Ｓ９及び図７のステップＳ１１〜１４を処理することを意味する。
【００７０】
まず、ステップＳ４では、優先度決定部１５が、Ｎ（表示場所Ａ，Ｂ，Ｃ，Ｄのいずれか。以下同様。）が映像（動画像）であるか否かを判定する。ステップＳ４でＹＥＳの場合には、映像は全画面の分割領域（各表示場所に対応する領域）のうち１画面であるか否かを判定する（ステップＳ５）。この判定も優先度決定部１５がＣＰＵ１６で受け取った操作信号に基づいて実行すればよい。
【００７１】
ステップＳ５でＹＥＳの場合、つまり映像が１画面である場合、優先度決定部１５が、優先度を「高」に決定し、その伝送フレームレートを例えば５０Ｐで送信すると決定する（ステップＳ６）。この例では、１秒当たりに伝送路で送信できるフレーム数は６０枚であり、そのうち５０枚をこの映像の伝送に使用すると決定する。５０Ｐとした理由は、後段のフレームレート変換部（Frame Rate Converter：ＦＲＣ）２２を考慮したものであり、例えば６０Ｐ等であってもよく、６０Ｐに近い値など、優先度「高」に値する伝送フレームレートとして定めればよい。
【００７２】
ステップＳ６に続き、ＣＰＵ１６がその伝送フレームレートを示す情報を優先度決定部１５から得て、表示場所を示す情報（この場合には全画面での表示を示す情報）と共に、表示ブロック２側に制御信号として送信して連絡を行う（ステップＳ７）。また、この制御信号には動画像のデータであることを示す情報も含めておき、表示ブロック２でフレームレート変換及びスケーリングを施す対象となっていることを伝える。
【００７３】
ステップＳ５でＮＯの場合、つまり映像が多画面ある場合、優先度決定部１５が、優先度を「高」に決定し、その伝送フレームレートを例えば２４Ｐで送信すると決定する（ステップＳ８）。この例では、２画面表示を想定しており、１秒当たりに伝送路で送信できるフレーム数（６０枚）のうち各サブ画面につき２４枚を、この映像の伝送に使用すると決定している。２４Ｐとした理由は、後段のフレームレート変換部２２を考慮したものであり、例えば３０Ｐ等であってもよく、２画面の場合には６０Ｐの半分である３０Ｐに近い値など、優先度「高」に値する伝送フレームレートとして定めればよい。
【００７４】
ステップＳ８に続き、ＣＰＵ１６がその伝送フレームレートを示す情報を優先度決定部１５から得て、表示場所を示す情報（この場合には右画面又は左画面での表示を示す情報、若しくは上画面又は下画面での表示を示す情報）と共に、表示ブロック２側に制御信号として送信して連絡を行う（ステップＳ９）。また、この制御信号には動画像のデータであることを示す情報も含めておき、表示ブロック２でフレームレート変換及びスケーリングを施す対象となっていることを伝える。
【００７５】
ステップＳ４でＮＯの場合、つまり判定対象の表示場所には動画像でなく静止画を表示させる場合には、まず静止画のうち電子番組表であるか否かを、優先度決定部１５がＣＰＵ１６で受け取った操作信号に基づいて判定する（図７のステップＳ１１）。なお、電子番組表の一部分である場合、つまり複数の表示場所で１つの電子番組表を構成する場合にも、ステップＳ１１ではＹＥＳと判定する。
【００７６】
ステップＳ１１でＮＯの場合、つまり判定対象の表示場所に電子番組表以外の静止画を表示させる場合には、優先度決定部１５が優先度「低」と判定し、６０Ｐから優先度「高」の表示場所について使用したフレーム数と優先度「中」の表示場所について使用したフレーム数とを差し引いた値のフレーム数を使用すると決定する（ステップＳ１４）。つまり、優先度「低」の場合には、伝送路容量で決まる６０枚のうち、優先度がより高い表示場所のフレーム数で使用する余りを使用する。優先度がより高い表示場所のフレーム数が多い程、優先度「低」の表示場所で使用可能なフレーム数が小さくなるように調整される。
【００７７】
なお、電子番組表等の静止画は表示ブロック２で内挿フレームで補間する必要はないため、ステップＳ１４の処理後に伝送フレームレートの連絡は必要ないが、図示しないものの表示場所の連絡は基本的に（予め格納場所と表示場所の関係が決まっていない場合には）必要である。また、このときの制御情報には静止画のデータであることを示す情報も含ませておき、表示ブロック２でフレームレート変換及びスケーリングを施す対象となっていないことを伝える。無論、動画像のデータの場合にそのことを示す情報を制御信号に含めるようなルールを決めておけば、静止画データの場合には静止画のデータであることを示す情報は不要であり、その逆も同様である。
【００７８】
ステップＳ７，Ｓ９等で説明したように、デコードブロック１は、表示ブロック２に対して、画像データ毎に、表示ブロック２における表示場所及び伝送フレームレートを示す情報を伝送するようにしてもよい。但し、画像データが静止画像である場合には、フレームレート変換を行わないため、伝送フレームレートを示す情報は伝送しなくてもよい。
【００７９】
ステップＳ１１でＹＥＳの場合には、この表示場所にカーソルがあるか否かを、優先度決定部１５がＣＰＵ１６で受け取った操作信号に基づいて判定する（ステップＳ１２）。
【００８０】
ステップＳ１２でＮＯの場合、つまり判定対象の表示場所にカーソルがない電子番組表の静止画を表示させる場合にも、ステップＳ１４に進み、優先度決定部１５が優先度「低」と判定し、それに応じた伝送フレームレート（１秒当たりのフレーム数）を決定する。
【００８１】
ステップＳ１２でＹＥＳの場合、つまり判定対象の表示場所に電子番組表の静止画を表示させる場合には、優先度決定部１５が優先度「中」と判定し、６０Ｐから優先度「高」の表示場所について使用したフレーム数を差し引いた値のフレーム数を使用すると決定する（ステップＳ１３）。つまり、優先度「中」の場合にも、伝送路容量で決まる６０枚のうち、優先度「高」の表示場所のフレーム数で使用する余りを使用する。優先度がより高い表示場所のフレーム数が多い程、優先度「中」の表示場所で使用可能なフレーム数が小さくなるように調整される。なお、ステップＳ１３の処理後も、ステップＳ１４の処理後と同様に伝送フレームレートの連絡は必要ないが、上述したように表示場所や静止画のデータであることを示す情報は基本的に必要である。
【００８２】
以上、ステップＳ１，Ｓ２の判定に応じて続く処理を行うと説明したように、優先度決定部１５は、関係する操作信号がＣＰＵ１６から伝えられる度に伝送フレームレートの決定が更新され、各表示場所の精細度の調整がなされることになる。
【００８３】
なお、図６及び図７の流れでは簡略化しているが、例えば、次のような伝送フレームレートの割り当て方法が適用できる。カーソル有無の判定後、カーソル有の場合は、まだ使用していないフレーム数の１／２を使用することができる。また、図６及び図７の流れにおけるループ中に映像との判定がなされた場合は、他の表示場所の伝送フレームレートを初期化して、判定した場所を優先度「高」にして他の伝送フレームレートを設定し直す。表示場所Ａ〜Ｄのうち、映像が１つ若しくは２つ含まれる場合には、それに応じて、電子番組表の表示場所には映像の残りの伝送フレームレートを使用する。例えば、表示場所Ｄのみ映像だった場合、場所Ａから処理を開始するが、予め１つは映像であるといった情報が存在するので、映像に５０Ｐを使用する場合は、場所Ａには１０Ｐの中からフレームレートを割り当ててよい。
【００８４】
図６及び図７の処理例に従って、例えば動画像と３つの静止画があり、静止画の１つにカーソルがある場合、動画像の表示場所について５０Ｐ、カーソル有りの静止画の表示場所について８Ｐ、カーソル無しの２つの静止画の表示場所について１Ｐなどと各画像データの伝送レートが決定され、それに応じて各画像データが時分割で伝送される。
【００８５】
また、図６及び図７の処理例に従って、例えばカーソル有りの１つの静止画とカーソル無しの１つの静止画と２つの動画像とを４分割で表示する場合には、カーソル有りの静止画の表示場所について１０Ｐ、カーソル無しの静止画の表示場所について２Ｐ、動画像の２つの表示場所について２４Ｐで伝送することになる。
【００８６】
図８〜図１４を参照しながら、液晶パネル部２８における画面上の表示場所と各表示場所に表示させる画像データの時分割による伝送について、詳細に説明する。図８は、図３のデコードブロックから送信されるフレームと、図４の表示ブロックでそのフレームを表示するための表示画面との関係の一例を説明するための図で、図９は、図８のフレームの送信タイミングを説明するための図である。また、図１０〜図１３は、上記の関係の他の例を説明するための図である。
【００８７】
一例として、図８（Ｂ）に示す液晶パネル部２８における画面の表示場所Ａ〜Ｄについて、「場所Ａ」で映像（動画像）、「場所Ｂ」でカーソル有りの電子番組表、「場所Ｃ」、「場所Ｄ」でカーソル無しの電子番組表を表示させる場合について、説明する。
【００８８】
まず、チューナ部１１で外部から受信した信号はデコード部１２でデコードされ、実際の映像（動画像）や電子番組表等の静止画に復元されるが、デコード部１２によりこのデコードした動画像や静止画のデータが、画像データメモリ部１３の内部メモリ１３ｂの格納領域（又はデコード部１２ａ〜１２ｄの内部メモリ）のうち表示場所に対応した領域に書き込まれる。図５（Ａ）の構成例で説明すると、デコード部１２は、内部メモリ１３ｂの格納場所ＡにＦｕｌｌ ＨＤの動画像を６０Ｐで描画し、格納場所Ｂ，Ｃ，Ｄに電子番組表の各領域のＦｕｌｌ ＨＤの静止画を描画する。なお、格納場所Ａ〜Ｄはそれぞれ図８（Ｂ）の表示場所Ａ〜Ｄに対応している。なお、格納場所Ｂ，Ｃ，Ｄには、静止画の描画に反映しなければならない操作信号を受けて静止画の更新を行う。この更新にはカーソル場所の更新も含まれる。
【００８９】
そして、優先度決定部１５が、例えば表示場所Ａに表示させる画像データ（動画像データ）を３０Ｐ、表示場所Ｂに表示させる画像データ（静止画データで且つカーソル有り）を２０Ｐ、表示場所Ｃ，Ｄに表示させる画像データ（静止画データで且つカーソル無し）を残りの１０Ｐを等分した５Ｐとして、各画像データの伝送フレームレートを優先度に基づき決定したとする。
【００９０】
その場合、送信データ選択部１４は、例えば図８（Ａ）に示すような伝送順序で、すなわち表示場所Ａのフレームを２／６０秒毎に入れ、このフレームが入っていないタイミングで、表示場所Ｂのフレームを３／６０秒毎に入れ、表示場所Ｃのフレームを１２／６０秒毎に入れ、表示場所Ｄのフレームも１２／６０秒毎に入れ、且つそれらのフレームが重ならないように時系列で配置した順序で、時分割伝送すればよい。なお、表示場所Ａ〜Ｄの伝送順は、表示場所が左上、右上、左下、右下に対応するフレームの順序とするなど、予め決めておけばよい。このような、時分割送信の様子は、図９に転送／非転送の状態のタイミングチャートとしても図示している。なお、図９では、Ｈｉｇｈが転送状態を表し、Ｌｏｗが休み（非転送）の状態を表している。
【００９１】
このようにして時分割で送信された各画像データは、表示場所Ａについては画像展開部２１によりフレームレート変換部２２に展開されて、フレームレート変換部２２で補間フレームが生成された後、画像データメモリ部２４におけるその表示場所に対応する格納領域に展開され、また、表示場所Ｂ，Ｃ，Ｄについては直接、画像データメモリ部２４における対応する格納領域に展開される。これにより、液晶パネル部２８では、「場所Ａ」に映像（動画像）、「場所Ｂ」、「場所Ｃ」、「場所Ｄ」に電子番組表が表示され、そのうち「場所Ｂ」にカーソルがあるような表示がなされる。
【００９２】
ここで、場所Ａ，Ｂ，Ｃ，Ｄについての伝送フレームレートは、それぞれ３０Ｐ、２０Ｐ、５Ｐ、５Ｐである。静止画については、更新されない限り同じデータがデコードブロック１から伝送されることになり、場所Ｂ，Ｃ，Ｄについての更新の表示への反映もそれぞれ２０Ｐ、５Ｐ、５Ｐといった伝送フレームレートでの伝送タイミングでなされる。特にカーソルが存在する「場所Ｂ」の静止画のデータは、カーソルが存在しない「場所Ｃ」や「場所Ｄ」の４倍の更新スピードでデータの更新が表示に反映されるため、ユーザ操作に対する表示への反映を素早くすることができる。
【００９３】
図１０〜図１３を参照しながら、デコードブロック１から送信されるフレームと表示ブロック２でそのフレームを表示するための表示画面との関係の他の例を説明する。
【００９４】
図１０（Ａ）において、図１０（Ｂ）に示す液晶パネル部２８の表示画面での表示状態にするための伝送順序を例示するように、３８４０×２１６０画素の表示対象画像データが１つの電子番組表における４つの部分静止画（１つが１９２０×１０８０画素）又は４つの電子番組表（１つが１９２０×１０８０画素）で構成される場合にも、各表示場所に対応する画像データについて伝送フレームレートを決定する。この例では、例えば６０Ｐが均等に割り振られて１５Ｐと決定できる。その場合、各画像データが１／６０秒間隔で配置され、同じ表示場所の画像データの伝送間隔が４／６０秒間隔で配置され、伝送される。なお、優先度決定部１５を設けた場合には、この例では全て同じ優先度に決定される。また、この場合は、全て電子番組表であるため、表示ブロック２への伝送フレームレートの連絡は必要ない。
【００９５】
これにより、液晶パネル部２８では、画面の左上の表示場所、右上の表示場所、左下の表示場所、右下の表示場所には電子番組表の部分静止画（それぞれ、「番組表１」、「番組表２」、「番組表３」、「番組表４」）が表示される。
【００９６】
図１１（Ａ）において、図１１（Ｂ）に示す液晶パネル部２８の表示画面での表示状態にするための伝送順序を例示するように、３８４０×２１６０画素の表示対象画像データが１つの電子番組表における４つの部分静止画又は４つの電子番組表で構成され、そのうち画面の左上の表示場所にカーソル２８ａが表示される場合にも、各表示場所に対応する画像データについて伝送フレームレートを決定する。この例では、例えば、画面の左上の表示場所に対応する「番組表１」の画像データについては３０Ｐ、残りの各画像データについては１０Ｐと決定できる。そして、「番組表１」の画像データが１／３０秒間隔で配置され、残りの画像データが順番にその合間に１／３０秒間隔で配置されて、伝送される。この場合は、全て電子番組表であるため、表示ブロック２への伝送フレームレートの連絡は必要ない。
【００９７】
これにより、液晶パネル部２８では、左上の表示場所にはカーソル２８ａ付きの電子番組表の部分静止画である「番組表１」が更新頻度が高い状態で表示され、右上の表示場所、左下の表示場所、右下の表示場所には電子番組表の部分静止画（それぞれ、「番組表２」、「番組表３」、「番組表４」）が表示される。
【００９８】
図１２（Ａ）において、図１２（Ｂ）に示す液晶パネル部２８の表示画面での表示状態にするための伝送順序を例示するように、３８４０×２１６０画素の表示対象画像データが１つの動画像と１つの電子番組表における３つの部分静止画又は３つの電子番組表とで構成される場合にも、各表示場所に対応する画像データについて伝送フレームレートを決定する。この例では、例えば、画面の左上の表示場所に対応する「映像」の画像データについては３０Ｐ、残りの各画像データについては１０Ｐと決定できる。そして、「映像」の画像データが１／３０秒間隔で配置され、残りの画像データが順番にその合間に１／３０秒間隔で配置されて、伝送される。
【００９９】
これにより、液晶パネル部２８では、左上の表示場所には「映像」が表示され、右上の表示場所、左下の表示場所、右下の表示場所には電子番組表の部分静止画（それぞれ、「番組表１」、「番組表２」、「番組表３」）が表示される。
【０１００】
図１３（Ａ）において、図１３（Ｂ）に示す液晶パネル部２８の表示画面での表示状態にするための伝送順序を例示するように、３８４０×２１６０画素の表示対象画像データが１つの電子番組表における２つの部分静止画又は２つの電子番組表と、２つの動画像とで構成される場合にも、各表示場所に対応する画像データについて伝送フレームレートを決定する。この例では、例えば画面の左下の表示場所に対応する「映像１」の画像データと右下の表示場所に対応する「映像２」の画像データについては２４Ｐ、残りの各画像データについては６Ｐと決定できる。そして、各画像データは、例えば「映像１」、「映像２」、「映像１」、「映像２」、「番組表１」、・・・、「映像１」、「映像２」、「映像１」、「映像２」、「映像１」、「番組表２」といった具合に配置されて、伝送される。
【０１０１】
これにより、液晶パネル部２８では、左上の表示場所には「番組表１」が表示され、右上の表示場所には「番組表２」が表示され、左下の表示場所には「映像１」が表示され、右下の表示場所には「映像２」が表示される。
【０１０２】
なお、１秒当たりのフレーム数を全て利用して割り振った例（つまり全ての表示場所のフレームで考えた場合の伝送フレームレートが６０Ｐである場合）を挙げているが、フレーム間隔を一部で開けるなどすることで、全てのフレーム数（上記の例では６０枚）を使用しなくてもよい。
【０１０３】
以上の説明では、基本的に、動画像と電子番組表等の静止画とを重畳（オーバーレイ）しない場合を想定して説明したが、応用例として、画像データメモリ部２４をもう１つ設け、スケーリング部２３のスケーリング結果を増設した画像データメモリ部２４に書き込み、読み出し部２５でオーバーレイする機能をもたせることにより、動画像と静止画とをオーバーレイ表示することも可能である。これにより、例えば電子番組表を表示する際に、電子番組表の一部に視聴中の番組映像や選択した番組映像を表示することも可能になる。
【０１０４】
以上のように、本発明に係る表示装置では、送信側と表示側を結ぶ伝送路が表示解像度に満たない場合といった限られた伝送路容量の中で、高解像度の表示パネルを最大限に生かした表示を行うことができる。よって、例えば静止画のデータを含む２Ｋ１Ｋサイズの画像データを複数伝送する場合、必要に応じて高い伝送フレームレートで伝送しているため、４Ｋ２Ｋサイズの高精細な（高品位な）画像を出力することができる。特に、４Ｋ２Ｋサイズの情報量が大きな電子番組表やデータ放送表示をユーザへ提供することができるだけでなく、伝送フレームレートを画像データによって変えているので、画像データによっては情報量を増やすことができる。例えば、ユーザが細部まで確認する可能性のあるカーソル場所の画像をさらに高品位で提示することもできる。
【０１０５】
また、本発明について、２Ｋ１Ｋサイズのグラフィックデータ（及び動画像のデータ、つまり主映像データ）を４Ｋ２Ｋサイズの表示パネルで表示させる場合を例に挙げて説明したが、例えば、２Ｋ１Ｋサイズのグラフィックデータ（及び主映像データ）又は２Ｋ１Ｋサイズの映像データを１６Ｋ８Ｋサイズの表示パネルで表示させる場合、４Ｋ２Ｋサイズのグラフィックデータ（及び主映像データ）又は４Ｋ２Ｋサイズの映像データを８Ｋ４Ｋサイズの表示パネルで表示させる場合、４Ｋ２Ｋサイズのグラフィックデータ（及び主映像データ）又は４Ｋ２Ｋサイズの映像データを１６Ｋ８Ｋサイズの表示パネルで表示させる場合などにも、同様に適用できる。
【符号の説明】
【０１０６】
１…デコードブロック、２…表示ブロック、１１…チューナ部、１２…デコード部、１２ａ…第１デコード部、１２ｂ…第２デコード部、１２ｃ…第３デコード部、１２ｄ…第４デコード部、１３…画像データメモリ部、１３ｂ…内部メモリ、１３ｃ…スイッチ、１３ｄ…スイッチ、１４…送信データ選択部、１５…優先度決定部、１６…ＣＰＵ、２１…画像展開部、２２…フレームレート変換部、２３…スケーリング部、２４…画像データメモリ部、２５…読み出し部、２６…画質調整部、２７…パネルコントロール部、２８…液晶パネル部、２８ａ…カーソル。
【図１】
2013218002.tif 000003
【図２】
2013218002.tif 000004
【図３】
2013218002.tif 000005
【図４】
2013218002.tif 000006
【図５】
2013218002.tif 000007
【図６】
2013218002.tif 000008
【図７】
2013218002.tif 000009
【図８】
2013218002.tif 000010
【図９】
2013218002.tif 000011
【図１０】
2013218002.tif 000012
【図１１】
2013218002.tif 000013
【図１２】
2013218002.tif 000014
【図１３】
2013218002.tif 000015